(57)【要約】【課題】機器を音声で操作可能な浴室システムにおいて、使用者の意図に反して音声入力の禁止が解除されることを抑制できる浴室システムを提供する。【解決手段】浴室に設けられる機器を音声で操作可能な浴室システムであって、使用者が発する音声を収集する音声収集部と、前記音声収集部によって収集された前記音声に基づいて、前記機器の動作を制御する制御部と、前記音声収集部による音声収集を許可する音声収集許可モードと、前記音声収集部による音声収集を禁止する音声収集禁止モードと、を切り替えるための音声収集操作部と、を備え、前記制御部は、前記音声収集操作部において前記音声収集禁止モードから前記音声収集許可モードへ切り替える操作がされた場合に、前記音声収集許可モードになるか否かを判断することを特徴とする浴室システム。【選択図】図４
2020116167.tif 000002
【特許請求の範囲】
【請求項１】
浴室に設けられる機器を音声で操作可能な浴室システムであって、
使用者が発する音声を収集する音声収集部と、
前記音声収集部によって収集された前記音声に基づいて、前記機器の動作を制御する制御部と、
前記音声収集部による音声収集を許可する音声収集許可モードと、前記音声収集部による音声収集を禁止する音声収集禁止モードと、を切り替えるための音声収集操作部と、
を備え、
前記制御部は、前記音声収集操作部において前記音声収集禁止モードから前記音声収集許可モードへ切り替える操作がされた場合に、前記音声収集許可モードになるか否かを判断することを特徴とする浴室システム。
【請求項２】
前記音声収集操作部は、複数設けられ、
前記制御部は、前記音声収集許可モードから前記音声収集禁止モードへ切り替える操作がされた音声収集操作部と同じ音声収集操作部において前記音声収集禁止モードから前記音声収集許可モードへ切り替える操作がされた場合にのみ、前記音声収集許可モードになることを特徴とする請求項１記載の浴室システム。
【請求項３】
前記音声収集操作部は、複数設けられ、
前記制御部は、前記音声収集許可モードから前記音声収集禁止モードへ切り替える操作がされた音声収集操作部と同じ音声収集操作部、または、前記音声収集許可モードから前記音声収集禁止モードへ切り替える操作がされた音声収集操作部よりも前記浴室に近い音声収集操作部において前記音声収集禁止モードから前記音声収集許可モードへ切り替える操作がされた場合にのみ、前記音声収集許可モードになることを特徴とする請求項１記載の浴室システム。
【請求項４】
前記音声収集操作部は、複数設けられ、
前記音声収集操作部は、前記浴室に設けられる浴室音声収集操作部を有し、
前記制御部は、前記音声収集許可モードから前記音声収集禁止モードへ切り替える操作がされた音声収集操作部と同じ音声収集操作部、または、前記浴室音声収集操作部において前記音声収集禁止モードから前記音声収集許可モードへ切り替える操作がされた場合にのみ、前記音声収集許可モードになることを特徴とする請求項１記載の浴室システム。
【請求項５】
前記音声収集部は、複数設けられ、
前記音声収集操作部は、前記浴室に設けられる浴室音声収集操作部を有し、
前記制御部は、前記浴室が使用中であることを検知すると、前記浴室音声収集操作部において前記音声収集禁止モードから前記音声収集許可モードへ切り替える操作がされた場合にのみ、前記音声収集許可モードになることを特徴とする請求項１記載の浴室システム。
【請求項６】
前記制御部は、前記音声収集禁止モードになってからの経過時間が所定時間以上になると、自動で前記音声収集許可モードになることを特徴とする請求項１〜５のいずれか１つに記載の浴室システム。
【請求項７】
前記制御部は、前記音声収集禁止モードにおいて、前記音声収集操作部に対する特定の操作を検知すると、前記音声収集許可モードになることを特徴とする請求項１〜６のいずれか１つに記載の浴室システム。
【発明の詳細な説明】
【技術分野】
【０００１】
本発明の態様は、一般的に、浴室システムに関する。
【背景技術】
【０００２】
浴室に設けられる機器を操作する手段として、非接触手段である音声入力による操作（音声操作）が有効である。浴室内で音声操作を実現するためには、使用者が発する音声を確実に収集することが求められる。そのため、通常、音声操作を行う場合には、常に音声入力が有効な状態にしておく。
【先行技術文献】
【特許文献】
【０００３】
【特許文献１】特開平１０−２５９９４１号公報
【発明の概要】
【発明が解決しようとする課題】
【０００４】
しかし、常に音声入力が有効な状態にしておくと、使用者の意図しない音声入力による誤操作が発生する可能性がある。また、常に音声入力が有効な状態にしておくと、盗聴されているのではないかなど、使用者に不安を抱かせてしまうおそれがある。
【０００５】
これを解決する手段として、音声収集を許可する音声収集許可モードと、音声収集を禁止する音声収集禁止モードと、を切り替え可能な操作部などを設けることが考えられる。これにより、音声操作を使用しないときには、音声収集禁止モードに切り替えることで、使用者の意図しない音声入力により誤操作が発生することを抑制できる。また、音声収集禁止モードに切り替えることで容易に音声収集を禁止することができるため、使用者の盗聴に対する不安を低減することができる。
【０００６】
また、さらに使い勝手を向上させるために、音声収集許可モードと音声収集禁止モードとを切り替えるための操作部を浴室以外の場所にも設けることが考えられる。しかし、この操作部を浴室以外の場所に設けると、使用者が音声収集禁止モードに設定していても、第三者によって勝手に音声収集許可モードに変更されてしまうおそれがある。すなわち、使用者の意図に反して音声入力の禁止が解除されてしまうおそれがある。
【０００７】
本発明は、かかる課題の認識に基づいてなされたものであり、機器を音声で操作可能な浴室システムにおいて、使用者の意図に反して音声入力の禁止が解除されることを抑制できる浴室システムを提供することを目的とする。
【課題を解決するための手段】
【０００８】
第１の発明は、浴室に設けられる機器を音声で操作可能な浴室システムであって、使用者が発する音声を収集する音声収集部と、前記音声収集部によって収集された前記音声に基づいて、前記機器の動作を制御する制御部と、前記音声収集部による音声収集を許可する音声収集許可モードと、前記音声収集部による音声収集を禁止する音声収集禁止モードと、を切り替えるための音声収集操作部と、を備え、前記制御部は、前記音声収集操作部において前記音声収集禁止モードから前記音声収集許可モードへ切り替える操作がされた場合に、前記音声収集許可モードになるか否かを判断することを特徴とする浴室システムである。
【０００９】
この浴室システムによれば、音声収集操作部において音声収集禁止モードから音声収集許可モードへ切り替える操作がされた場合に、音声収集許可モードになるか否かを制御部が判断することで、第三者によって音声収集禁止モードから音声収集許可モードへの切り替えが行われることを抑制できる。これにより、使用者の意図に反して音声入力の禁止が解除されることを抑制できる。
【００１０】
第２の発明は、第１の発明において、前記音声収集操作部は、複数設けられ、前記制御部は、前記音声収集許可モードから前記音声収集禁止モードへ切り替える操作がされた音声収集操作部と同じ音声収集操作部において前記音声収集禁止モードから前記音声収集許可モードへ切り替える操作がされた場合にのみ、前記音声収集許可モードになることを特徴とする浴室システムである。
【００１１】
この浴室システムによれば、音声収集許可モードから音声収集禁止モードへの切り替え時と同じ音声収集操作部で音声収集禁止モードから音声収集許可モードへの切り替え操作がされた場合にのみ、音声収集許可モードになることで、音声収集許可モードから音声収集禁止モードへの切り替え時と異なる場所にいる第三者によって音声収集禁止モードから音声収集許可モードへの切り替えが行われることを抑制できる。これにより、使用者の意図に反して音声入力の禁止が解除されることをより確実に抑制できる。
【００１２】
第３の発明は、第１の発明において、前記音声収集操作部は、複数設けられ、前記制御部は、前記音声収集許可モードから前記音声収集禁止モードへ切り替える操作がされた音声収集操作部と同じ音声収集操作部、または、前記音声収集許可モードから前記音声収集禁止モードへ切り替える操作がされた音声収集操作部よりも前記浴室に近い音声収集操作部において前記音声収集禁止モードから前記音声収集許可モードへ切り替える操作がされた場合にのみ、前記音声収集許可モードになることを特徴とする浴室システムである。
【００１３】
この浴室システムによれば、音声収集許可モードから音声収集禁止モードへの切り替え時と同じ音声収集操作部、または、音声収集許可モードから音声収集禁止モードへの切り替え時に操作されたものよりも浴室に近い音声収集操作部において音声収集禁止モードから音声収集許可モードへ切り替える操作がされた場合にのみ、音声収集許可モードになることで、音声収集許可モードから音声収集禁止モードへの切り替え時と異なる場所や浴室から遠い場所にいる第三者によって音声収集禁止モードから音声収集許可モードへの切り替えが行われることを抑制できる。これにより、使用者の意思をより尊重することができ、使用者の意図に反して音声入力の禁止が解除されることをより確実に抑制できる。
【００１４】
第４の発明は、第１の発明において、前記音声収集操作部は、複数設けられ、前記音声収集操作部は、前記浴室に設けられる浴室音声収集操作部を有し、前記制御部は、前記音声収集許可モードから前記音声収集禁止モードへ切り替える操作がされた音声収集操作部と同じ音声収集操作部、または、前記浴室音声収集操作部において前記音声収集禁止モードから前記音声収集許可モードへ切り替える操作がされた場合にのみ、前記音声収集許可モードになることを特徴とする浴室システムである。
【００１５】
この浴室システムによれば、音声収集許可モードから音声収集禁止モードへの切り替え時と同じ音声収集操作部、または、浴室音声収集操作部において音声収集禁止モードから音声収集許可モードへ切り替える操作がされた場合にのみ、音声収集許可モードになることで、音声収集許可モードから音声収集禁止モードへの切り替え時と異なる場所や浴室以外の場所にいる第三者によって音声収集禁止モードから音声収集許可モードへの切り替えが行われることを抑制できる。これにより、使用者の意思をより尊重することができ、使用者の意図に反して音声入力の禁止が解除されることをより確実に抑制できる。
【００１６】
第５の発明は、第１の発明において、前記音声収集部は、複数設けられ、前記音声収集操作部は、前記浴室に設けられる浴室音声収集操作部を有し、前記制御部は、前記浴室が使用中であることを検知すると、前記浴室音声収集操作部において前記音声収集禁止モードから前記音声収集許可モードへ切り替える操作がされた場合にのみ、前記音声収集許可モードになることを特徴とする浴室システムである。
【００１７】
この浴室システムによれば、浴室が使用中であることを検知すると、浴室音声収集操作部において音声収集禁止モードから音声収集許可モードへ切り替える操作がされた場合にのみ、音声収集許可モードになることで、浴室の使用中に浴室以外の場所にいる第三者によって音声収集禁止モードから音声収集許可モードへの切り替えが行われることを抑制できる。これにより、浴室の使用中に使用者の意図に反して音声入力の禁止が解除されることをより確実に抑制できる。
【００１８】
第６の発明は、第１〜第５のいずれか１つの発明において、前記制御部は、前記音声収集禁止モードになってからの経過時間が所定時間以上になると、自動で前記音声収集許可モードになることを特徴とする浴室システムである。
【００１９】
この浴室システムによれば、音声収集禁止モードになってからの経過時間が所定時間以上になると、自動で音声収集許可モードになることで、音声収集操作部の故障により手動で音声収集禁止モードから音声収集許可モードへの切り替えが行えなくなっても、自動で音声収集禁止モードから音声収集許可モードへの切り替えを行うことができる。これにより、音声収集操作部が故障した場合であっても、浴室に設けられる機器の音声操作を行うことができる。
【００２０】
第７の発明は、第１〜第６のいずれか１つの発明において、前記制御部は、前記音声収集禁止モードにおいて、前記音声収集操作部に対する特定の操作を検知すると、前記音声収集許可モードになることを特徴とする浴室システムである。
【００２１】
この浴室システムによれば、音声収集禁止モードにおいて、音声収集操作部に対する特定の操作を検知すると、音声収集許可モードになることで、音声収集禁止モードから音声収集許可モードへの切り替えができない音声収集操作部においても、特定の操作によって音声収集禁止モードから音声収集許可モードへの切り替えを行うことができる。これにより、使用者が音声収集許可モードから音声収集禁止モードへの切り替え時にどこの音声収集操作部を操作したか忘れた場合などにも、音声収集禁止モードから音声収集許可モードへの切り替えを行うことができ、使い勝手を向上させることができる。また、例えば、浴室に設けられた音声収集操作部でしか音声収集許可モードから音声収集禁止モードへの切り替えを行えない場合であっても、リビングに設けられた音声収集操作部で特定の操作を行うことで切り替えを行うことができるため、使い勝手を向上させることができる。
【発明の効果】
【００２２】
本発明の態様によれば、機器を音声で操作可能な浴室システムにおいて、使用者の意図に反して音声入力の禁止が解除されることを抑制できる浴室システムが提供される。
【図面の簡単な説明】
【００２３】
【図１】実施形態に係る浴室システムを模式的に表すブロック図である。
【図２】実施形態に係る浴室システムを模式的に表す斜視図である。
【図３】実施形態に係る浴室システムの音声収集操作部の位置の一例を模式的に表す間取り図である。
【図４】実施形態に係る浴室システムの動作の一例を表すフローチャートである。
【図５】実施形態に係る浴室システムの動作の別の一例を表すフローチャートである。
【図６】実施形態に係る浴室システムの動作の別の一例を表すフローチャートである。
【図７】実施形態に係る浴室システムの動作の別の一例を表すフローチャートである。
【発明を実施するための形態】
【００２４】
以下、実施形態について図面を参照しつつ説明する。なお、各図面中、同様の構成要素には同一の符号を付して詳細な説明は適宜省略する。  
図１は、実施形態に係る浴室システムを模式的に表すブロック図である。  
図１に表したように、実施形態に係る浴室システム１００は、音声収集部１０と、制御部２０と、音声収集操作部８０と、を有する。
【００２５】
音声収集部１０は、使用者が発する音声を収集する。音声収集部１０は、マイクロフォン（マイク）などの音声を入力可能な音声入力装置である。音声収集部１０は、制御部２０に接続されており、収集した（入力された）音声についてのデータを制御部２０に送信する。なお、音声収集部１０と制御部２０とは、有線接続されていてもよいし、無線接続されていてもよい。
【００２６】
制御部２０は、音声収集部１０によって収集された音声に基づいて、浴室に設けられる機器３０の動作を制御する。この例では、複数の機器３０が設けられている。機器３０は１つでもよい。機器３０は、制御部２０に接続されており、制御部２０からの制御信号に基づいて動作する。なお、各機器３０と制御部２０とは、有線接続されていてもよいし、無線接続されていてもよい。
【００２７】
浴室に設けられる機器３０は、例えば、吐水装置３１、空調機器３２、照明機器３３、ＡＶ機器３４、マッサージ機器３５、及び洗浄機器３６などを含む。吐水装置３１は、例えば、シャワーやカランを含む。空調機器３２は、例えば、暖房機能、涼風機能、乾燥機能、及び換気機能の少なくともいずれかを有する機器である。ＡＶ機器３４は、例えば、スピーカーやテレビ（映像を出力可能なモニター）を含む。マッサージ機器３５は、例えば、ブローバスや肩湯などの水流によるマッサージ機器を含む。洗浄機器３６は、浴室床洗浄装置や浴槽洗浄装置を含む。また、浴室に設けられる機器３０は、例えば、浴槽の排水栓などを含んでもよい。
【００２８】
なお、実施形態においては、浴室に設けられる機器３０のうち、少なくとも１つが音声で操作可能であればよい。換言すれば、浴室に設けられる機器３０のうち一部は、音声で操作できないものであってもよい。
【００２９】
制御部２０は、使用者の音声操作（すなわち、音声収集部１０によって収集された音声）に基づいて、例えば、吐水装置３１の吐水、止水、温度、及び流量などを制御する。制御部２０は、使用者の音声操作に基づいて、例えば、空調機器３２の動作開始、動作停止、温度、及び風量などを制御する。制御部２０は、使用者の音声操作に基づいて、例えば、照明機器３３の点灯、消灯、明るさ、色調などを制御する。制御部２０は、使用者の音声操作に基づいて、例えば、ＡＶ機器３４の動作開始、動作停止、及び音量などを制御する。制御部２０は、使用者の音声操作に基づいて、例えば、マッサージ機器３５の動作開始、動作停止、及び流量などを制御する。制御部２０は、使用者の音声操作に基づいて、例えば、洗浄機器３６の動作開始及び動作停止などを制御する。
【００３０】
また、制御部２０は、音声収集部１０によって収集された音声に基づいて、浴室に隣接する洗面所に設けられる機器の動作を制御してもよい。洗面所に設けられる音声操作可能な機器は、例えば、空調機器を含む。制御部２０は、使用者の音声操作に基づいて、例えば、洗面所に設けられる空調機器の動作開始、動作停止、温度、及び風量などを制御する。
【００３１】
また、この例では、浴室システム１００は、人体検知センサ４０を有する。人体検知センサ４０は、浴室内の人体を検知する。人体検知センサ４０は、人体の浴室への入室及び浴室からの退室を検知する。人体検知センサ４０は、例えば、赤外線センサやマイクロ波センサなどである。人体検知センサ４０は、制御部２０に接続されており、検知結果についてのデータを制御部２０に送信する。人体検知センサ４０は、必要に応じて設けられ、省略可能である。
【００３２】
制御部２０は、音声収集部１０による音声収集を許可する音声収集許可モードと、音声収集部１０による音声収集を禁止する音声収集禁止モードと、を有する。音声収集操作部８０は、音声収集許可モードと、音声収集禁止モードと、を切り替えるための操作部である。音声収集操作部８０は、例えば、ボタンである。音声収集操作部は、例えば、タッチスクリーンなどであってもよい。
【００３３】
図２は、実施形態に係る浴室システムを模式的に表す斜視図である。  
図２に表したように、浴室５０は、天井５１と、床５２と、側壁５３と、を有する。側壁５３は、天井５１と床５２との間に設けられる立面部である。側壁５３は、例えば、第１〜第４側壁５３ａ〜５３ｄを有する。
【００３４】
浴室５０の内部には、浴槽６０が設けられている。浴槽６０は、上面視において、略長方形である。換言すれば、浴槽６０は、一対の長辺６１と一対の短辺６２とを有する。床５２は、浴室５０の下部において、浴槽６０が設けられていない部分である。
【００３５】
第１側壁５３ａは、浴槽６０の長辺６１側に接する。第２側壁５３ｂは、第１側壁５３ａに対向する。第３側壁５３ｃ及び第４側壁５３ｄは、それぞれ第１側壁５３ａと第２側壁５３ｂとの間に位置し、第１側壁５３ａと第２側壁５３ｂとを接続する。第４側壁５３ｄは、第３側壁５３ｃに対向する。
【００３６】
この例では、第３側壁５３ｃには、鏡７０及びカウンター７２が設けられている。また、第４側壁５３ｄには、浴室５０に出入りするためのドア５５が設けられている。また、天井５１には、浴室５０内の人体を検知する人体検知センサ４０が設けられている。
【００３７】
また、この例では、浴室５０の内部に吐水装置３１、空調機器３２、照明機器３３、スピーカー３４、マッサージ機器３５、及び洗浄機器３６が設けられている。吐水装置３１は、第３側壁５３ｃに設けられている。空調機器３２、照明機器３３、及びスピーカー３４は、天井５１に設けられている。マッサージ機器３５は、浴槽６０に設けられている。また、洗浄機器３６は、吐水装置３１の下方に設けられたカウンター７２の下部に設けられている。
【００３８】
音声収集部１０は、浴室５０の天井５１、床５２、及び側壁５３の少なくともいずれかに設けられる。この例では、２つの音声収集部１０（音声収集部１０ａ及び音声収集部１０ｂ）が、第１側壁５３ａと、第２側壁５３ｂと、に設けられている。より具体的には、音声収集部１０ａは、第１側壁５３ａに設けられており、音声収集部１０ｂは、第２側壁５３ｂに設けられている。なお、音声収集部１０の数は、２つに限定されず、１つであってもよいし、３つ以上であってもよい。
【００３９】
音声収集部１０は、浴室５０の天井５１、床５２、及び側壁５３を構成する部材に埋め込まれていてもよいし、浴室５０の内側または外側から天井５１、床５２、及び側壁５３を構成する部材に固定されていてもよい。
【００４０】
浴室５０の側壁５３には、浴室５０に設けられる機器３０を操作するための浴室内リモコン７５が設けられている。この例では、浴室内リモコン７５は、第１側壁５３ａに設けられている。浴室内リモコン７５は、第２側壁５３ｂ、第３側壁５３ｃ、または第４側壁５３ｄに設けられてもよい。
【００４１】
浴室内リモコン７５は、例えば、吐水装置３１、空調機器３２、照明機器３３、スピーカー３４、マッサージ機器３５、及び洗浄機器３６の少なくともいずれかを操作するためのリモコンである。浴室内リモコン７５は、給湯器（図示せず）を操作するためのリモコンであってもよい。なお、浴室内リモコン７５により操作可能な機器は、音声により操作できる機器であってもよいし、音声により操作できない機器であってもよい。浴室内リモコン７５は、必要に応じて設けられ、省略可能である。
【００４２】
また、浴室５０に隣接する空間には、洗面所９０が設けられている。ドア５５は、洗面所９０と浴室５０との間に設けられている。使用者は、ドア５５を介して、洗面所９０から浴室５０に入室し、浴室５０から洗面所９０に退室する。
【００４３】
洗面所９０の側壁には、浴室５０に設けられる機器を操作するための洗面所リモコン９５が設けられている。この例では、洗面所リモコン９５は、洗面所９０の側壁のうち、浴室５０に通じるドア５５が設けられる側壁（すなわち、第４側壁５３ｄの洗面所９０側）に設けられている。
【００４４】
洗面所リモコン９５は、例えば、吐水装置３１、空調機器３２、照明機器３３、スピーカー３４、マッサージ機器３５、及び洗浄機器３６の少なくともいずれかを操作するためのリモコンである。洗面所リモコン９５は、給湯器（図示せず）を操作するためのリモコンであってもよい。なお、洗面所リモコン９５により操作可能な機器は、音声により操作できる機器であってもよいし、音声により操作できない機器であってもよい。洗面所リモコン９５は、必要に応じて設けられ、省略可能である。
【００４５】
実施形態において、浴室システム１００は、浴室５０（天井５１、床５２、及び側壁５３）、機器３０（吐水装置３１、空調機器３２、照明機器３３、ＡＶ機器３４、マッサージ機器３５、及び洗浄機器３６など）、人体検知センサ４０、浴槽６０、及び洗面所９０の少なくともいずれかを含んでもよい。
【００４６】
図３は、実施形態に係る浴室システムの音声収集操作部の位置の一例を模式的に表す間取り図である。  
図３に表したように、この例では、音声収集操作部８０は、第１音声収集操作部８０ａと、第２音声収集操作部８０ｂと、第３音声収集操作部８０ｃと、を有する。第１音声収集操作部８０ａは、第２音声収集操作部８０ｂよりも浴室５０に近い位置に設けられている。換言すれば、第１音声収集操作部８０ａと浴室５０との間の距離は、第２音声収集操作部８０ｂと浴室５０との間の距離よりも短い。第２音声収集操作部８０ｂは、第３音声収集操作部８０ｃよりも浴室５０に近い位置に設けられている。換言すれば、第２音声収集操作部８０ｂと浴室５０との間の距離は、第３音声収集操作部８０ｃと浴室５０との間の距離よりも短い。
【００４７】
各音声収集操作部８０と浴室５０との間の距離は、各音声収集操作部８０と浴室５０の内部空間との間の距離とみなすことができる。すなわち、後述のように、第１音声収集操作部８０ａが浴室５０の内部に設けられる場合、第１音声収集操作部８０ａと浴室５０との間の距離は、実質的にゼロとみなすことができる。
【００４８】
第１音声収集操作部８０ａは、浴室５０の内部に設けられている。第１音声収集操作部８０ａは、浴室音声収集操作部８１である。第１音声収集操作部８０ａは、例えば、浴槽６０及び浴室５０の側壁５３のうち浴槽６０に接する面（すなわち、第１側壁５３ａ、第３側壁５３ｃ、及び第４側壁５３ｄ）の少なくともいずれかに設けられる。このように、第１音声収集操作部８０ａを、浴槽６０及び浴室５０の側壁５３のうち浴槽６０に接する面の少なくともいずれかに設けることで、浴槽６０内にいる使用者が入浴中に容易に第１音声収集操作部８０ａを操作することができる。
【００４９】
第１音声収集操作部８０ａが浴槽６０に設けられる場合、第１音声収集操作部８０ａは、例えば、浴槽６０のリム（上面部）やバスエプロン（側面部）に設けられる。第１音声収集操作部８０ａが浴室５０の側壁５３のうち浴槽６０に接する面に設けられる場合、第１音声収集操作部８０ａは、浴室５０の側壁５３に直接設けられてもよいし、側壁５３に設けられる浴室内リモコン７５に設けられてもよい。
【００５０】
この例では、第１音声収集操作部８０ａは、浴室内リモコン７５に設けられている（図２参照）。このように、第１音声収集操作部８０ａを浴室内リモコン７５に設けることで、浴室内リモコン７５の水密性を担保すれば、第１音声収集操作部８０ａの水密性も担保することができる。したがって、第１音声収集操作部８０ａを浴室５０の側壁５３などに直接設ける場合と比べて、施工性を向上させることができる。
【００５１】
第２音声収集操作部８０ｂは、洗面所９０に設けられている。第２音声収集操作部８０ｂは、例えば、洗面所９０の側壁に設けられる。第２音声収集操作部８０ｂは、洗面所９０の側壁に直接設けられてもよいし、側壁に設けられる洗面所リモコン９５に設けられてもよい。
【００５２】
この例では、第２音声収集操作部８０ｂは、洗面所リモコン９５に設けられている（図２参照）。このように、洗面所９０に第２音声収集操作部８０ｂを設けることで、浴室５０への入室前に音声収集を禁止することができる。これにより、音声収集が許可されているか禁止されているかが分からない状況で発声した場合に、使用者の意図しない音声入力により誤操作が発生することを抑制できる。
【００５３】
第３音声収集操作部８０ｃは、浴室５０及び洗面所９０以外の場所に設けられる。この例では、第３音声収集操作部８０ｃは、キッチン２１０に設けられている。第３音声収集操作部８０ｃは、リビング２２０に設けられてもよい。このように、浴室５０及び洗面所９０以外の場所（例えば、キッチン２１０やリビング２２０）に第３音声収集操作部８０ｃを設けることで、キッチン２１０やリビング２２０から音声収集許可モードと音声収集禁止モードとのを切り替えを行うことができる。
【００５４】
また、実施形態においては、スマートフォンなどの外部端末によって、音声収集許可モードと音声収集禁止モードとを切り替え可能としてもよい。この場合、外部端末は、例えば、浴室５０から最も遠い音声収集操作部８０とみなすことができる。
【００５５】
図４は、実施形態に係る浴室システムの動作の一例を表すフローチャートである。  
図４に表したように、制御部２０は、例えば、音声収集許可モードからスタートする（ステップＳ１０１）。制御部２０は、音声収集操作部８０において音声収集許可モードから音声収集禁止モードへ切り替える操作（禁止操作）がされたことを検知すると（ステップＳ１０２：Ｙｅｓ）、音声収集禁止モードになる（ステップＳ１０３）。
【００５６】
制御部２０は、ステップＳ１０２において、禁止操作を検知しない場合（ステップＳ１０２：Ｎｏ）、音声収集操作部８０における禁止操作を検知するまで、音声収集許可モードを維持する。
【００５７】
ステップＳ１０３において音声収集禁止モードになると、制御部２０は、禁止操作がされた音声収集操作部８０を記憶する（ステップＳ１０４）とともに、音声収集禁止モードになってからの経過時間のカウントを開始する（ステップＳ１０５）。なお、ステップＳ１０５は、ステップＳ１０４の後に行われてもよいし、ステップＳ１０４の前に行われてもよいし、ステップＳ１０４と同時に行われてもよい。
【００５８】
ステップＳ１０４において禁止操作がされた音声収集操作部８０を記憶し、ステップＳ１０５においてカウントを開始すると、制御部２０は、音声収集操作部８０において音声収集禁止モードから音声収集許可モードへ切り替える操作（許可操作）がされたか否かの判定を行う（ステップＳ１０６）。制御部２０は、許可操作を検知すると（ステップＳ１０６：Ｙｅｓ）、許可操作がされた音声収集操作部８０が禁止操作がされた音声収集操作部８０と同じか否かの判定を行う（ステップＳ１０７）。
【００５９】
制御部２０は、ステップＳ１０７において、許可操作がされた音声収集操作部８０が禁止操作がされた音声収集操作部８０と同じ場合（ステップＳ１０７：Ｙｅｓ）、音声収集許可モードになる（ステップＳ１０８）。
【００６０】
より具体的には、制御部２０は、第１音声収集操作部８０ａで禁止操作がされた状態において、禁止操作時と同じ第１音声収集操作部８０ａで許可操作がされると音声収集許可モードになるが、禁止操作時と異なる第２音声収集操作部８０ｂまたは第３音声収集操作部８０ｃで許可操作がされても音声収集許可モードにならない。制御部２０は、第２音声収集操作部８０ｂで禁止操作がされた状態において、禁止操作時と同じ第２音声収集操作部８０ｂで許可操作がされると音声収集許可モードになるが、禁止操作時と異なる第１音声収集操作部８０ａまたは第３音声収集操作部８０ｃで許可操作がされても音声収集許可モードにならない。制御部２０は、第３音声収集操作部８０ｃで禁止操作がされた状態において、禁止操作時と同じ第３音声収集操作部８０ｃで許可操作がされると音声収集許可モードになるが、禁止操作時と異なる第１音声収集操作部８０ａまたは第２音声収集操作部８０ｂで許可操作がされても音声収集許可モードにならない。
【００６１】
このように、音声収集操作部８０において音声収集禁止モードから音声収集許可モードへ切り替える操作がされた場合に、音声収集許可モードになるか否かを制御部２０が判断することで、第三者によって音声収集禁止モードから音声収集許可モードへの切り替えが行われることを抑制できる。これにより、使用者の意図に反して音声入力の禁止が解除されることを抑制できる。
【００６２】
また、音声収集許可モードから音声収集禁止モードへの切り替え時と同じ音声収集操作部８０で音声収集禁止モードから音声収集許可モードへの切り替え操作がされた場合にのみ、音声収集許可モードになることで、音声収集許可モードから音声収集禁止モードへの切り替え時と異なる場所にいる第三者によって音声収集禁止モードから音声収集許可モードへの切り替えが行われることを抑制できる。これにより、使用者の意図に反して音声入力の禁止が解除されることをより確実に抑制できる。
【００６３】
制御部２０は、ステップＳ１０７において、許可操作がされた音声収集操作部８０が禁止操作がされた音声収集操作部８０と異なる場合（ステップＳ１０７：Ｎｏ）、音声収集操作部８０に対する特定の操作がされたか否かを判定する（ステップＳ１０９）。制御部２０は、ステップＳ１０９において、音声収集操作部８０に対する特定の操作がされたことを検知すると（ステップＳ１０９：Ｙｅｓ）、音声収集許可モードになる（ステップＳ１０８）。
【００６４】
制御部２０は、ステップＳ１０９において、音声収集操作部８０に対する特定の操作を検知しない場合（ステップＳ１０９：Ｎｏ）、音声収集禁止モードを維持したまま、ステップＳ１０６に戻る。
【００６５】
ステップＳ１０９における特定の操作は、通常の操作では行わない操作である。ステップＳ１０９における特定の操作は、例えば、音声収集操作部８０を所定回数連続で操作すること（例えば、５回連続でボタンを押すこと）や所定時間連続で操作すること（例えば、５秒以上連続でボタンを押すこと）などを含む。
【００６６】
このように、音声収集禁止モードにおいて、音声収集操作部８０に対する特定の操作を検知すると、音声収集許可モードになることで、音声収集禁止モードから音声収集許可モードへの切り替えができない音声収集操作部８０においても、特定の操作によって音声収集禁止モードから音声収集許可モードへの切り替えを行うことができる。これにより、使用者が音声収集許可モードから音声収集禁止モードへの切り替え時にどこの音声収集操作部８０を操作したか忘れた場合などにも、音声収集禁止モードから音声収集許可モードへの切り替えを行うことができ、使い勝手を向上させることができる。また、例えば、浴室５０に設けられた音声収集操作部８０（第１音声収集操作部８０ａ）でしか音声収集許可モードから音声収集禁止モードへの切り替えを行えない場合であっても、リビング２２０に設けられた音声収集操作部（第３音声収集操作部８０ｃ）で特定の操作を行うことで切り替えを行うことができるため、使い勝手を向上させることができる。
【００６７】
制御部２０は、ステップＳ１０６において、許可操作を検知しない場合（ステップＳ１０６：Ｎｏ）、音声収集禁止モードになってからの経過時間（カウント）が所定時間以上であるか否かの判定を行う（ステップＳ１１０）。制御部２０は、音声収集禁止モードになってからの経過時間が所定時間以上になると（ステップＳ１１０：Ｙｅｓ）、自動で音声収集許可モードになる（ステップＳ１０８）。
【００６８】
制御部２０は、ステップＳ１１０において、音声収集禁止モードになってからの経過時間が所定時間未満の場合（ステップＳ１１０：Ｎｏ）、音声収集禁止モードを維持したまま、ステップＳ１０６に戻る。
【００６９】
このように、音声収集禁止モードになってからの経過時間が所定時間以上になると、自動で音声収集許可モードになることで、音声収集操作部８０の故障により手動で音声収集禁止モードから音声収集許可モードへの切り替えが行えなくなっても、自動で音声収集禁止モードから音声収集許可モードへの切り替えを行うことができる。これにより、音声収集操作部８０が故障した場合であっても、浴室５０に設けられる機器３０の音声操作を行うことができる。
【００７０】
図５は、実施形態に係る浴室システムの動作の別の一例を表すフローチャートである。  図５に表したフローチャートのステップＳ２０１〜ステップＳ２０８、ステップＳ２１０、及びステップＳ２１１は、それぞれ、図４に表したフローチャートのステップＳ１０１〜ステップＳ１０８、ステップＳ１０９、及びステップＳ１１０と同じである。
【００７１】
制御部２０は、ステップＳ２０７において、許可操作がされた音声収集操作部８０が禁止操作がされた音声収集操作部８０と同じ場合（ステップＳ２０７：Ｙｅｓ）、音声収集許可モードになる（ステップＳ２０８）。
【００７２】
制御部２０は、ステップＳ２０７において、許可操作がされた音声収集操作部８０が禁止操作がされた音声収集操作部８０と異なる場合（ステップＳ２０７：Ｎｏ）、許可操作がされた音声収集操作部８０が禁止操作がされた音声収集操作部８０よりも浴室５０に近いか否かを判定する（ステップＳ２０９）。すなわち、制御部２０は、許可操作がされた音声収集操作部８０と浴室５０との間の距離が、禁止操作がされた音声収集操作部８０と浴室５０との間の距離よりも短いか否かを判定する。
【００７３】
制御部２０は、ステップＳ２０９において、許可操作がされた音声収集操作部８０が禁止操作がされた音声収集操作部８０よりも浴室５０に近いと判定すると（ステップＳ２０９：Ｙｅｓ）、音声収集許可モードになる（ステップＳ２０８）。
【００７４】
より具体的には、制御部２０は、第１音声収集操作部８０ａで禁止操作がされた状態において、禁止操作時と同じ第１音声収集操作部８０ａで許可操作がされると音声収集許可モードになるが、第１音声収集操作部８０ａよりも浴室５０から遠い第２音声収集操作部８０ｂまたは第３音声収集操作部８０ｃで許可操作がされても音声収集許可モードにならない。制御部２０は、第２音声収集操作部８０ｂで禁止操作がされた状態において、禁止操作時と同じ第２音声収集操作部８０ｂまたは第２音声収集操作部８０ｂよりも浴室５０に近い第１音声収集操作部８０ａで許可操作がされると音声収集許可モードになるが、第２音声収集操作部８０ｂよりも浴室５０から遠い第３音声収集操作部８０ｃで許可操作がされても音声収集許可モードにならない。制御部２０は、第３音声収集操作部８０ｃで禁止操作がされた状態において、禁止操作時と同じ第３音声収集操作部８０ｃまたは第３音声収集操作部８０ｃよりも浴室５０に近い第１音声収集操作部８０ａもしくは第２音声収集操作部８０ｂで許可操作がされると音声収集許可モードになる。
【００７５】
このように、音声収集許可モードから音声収集禁止モードへの切り替え時と同じ音声収集操作部８０、または、音声収集許可モードから音声収集禁止モードへの切り替え時に操作されたものよりも浴室５０に近い音声収集操作部８０において音声収集禁止モードから音声収集許可モードへ切り替える操作がされた場合にのみ、音声収集許可モードになることで、音声収集許可モードから音声収集禁止モードへの切り替え時と異なる場所や浴室５０から遠い場所にいる第三者によって音声収集禁止モードから音声収集許可モードへの切り替えが行われることを抑制できる。これにより、使用者の意思をより尊重することができ、使用者の意図に反して音声入力の禁止が解除されることをより確実に抑制できる。
【００７６】
制御部２０は、ステップＳ２０９において、許可操作がされた音声収集操作部８０が禁止操作がされた音声収集操作部８０よりも浴室に近くないと判定した場合（ステップＳ２０９：Ｎｏ）、音声収集操作部８０に対する特定の操作がされたか否かの判定（ステップＳ２１０）に進む。
【００７７】
図６は、実施形態に係る浴室システムの動作の別の一例を表すフローチャートである。  図６に表したフローチャートのステップＳ３０１〜ステップＳ３０８、ステップＳ３１０、及びステップＳ３１１は、それぞれ、図４に表したフローチャートのステップＳ１０１〜ステップＳ１０８、ステップＳ１０９、及びステップＳ１１０と同じである。
【００７８】
制御部２０は、ステップＳ３０７において、許可操作がされた音声収集操作部８０が禁止操作がされた音声収集操作部８０と同じ場合（ステップＳ３０７：Ｙｅｓ）、音声収集許可モードになる（ステップＳ３０８）。
【００７９】
制御部２０は、ステップＳ３０７において、許可操作がされた音声収集操作部８０が禁止操作がされた音声収集操作部８０と異なる場合（ステップＳ３０７：Ｎｏ）、許可操作がされた音声収集操作部８０が浴室音声収集操作部８１であるか否かを判定する（ステップＳ３０９）。
【００８０】
制御部２０は、ステップＳ３０９において、許可操作がされた音声収集操作部８０が浴室音声収集操作部８１であると判定すると（ステップＳ３０９：Ｙｅｓ）、音声収集許可モードになる（ステップＳ３０８）。
【００８１】
より具体的には、制御部２０は、第１音声収集操作部８０ａで禁止操作がされた状態において、禁止操作時と同じかつ浴室音声収集操作部８１である第１音声収集操作部８０ａで許可操作がされると音声収集許可モードになるが、禁止操作時と異なりかつ浴室音声収集操作部８１ではない第２音声収集操作部８０ｂまたは第３音声収集操作部８０ｃで許可操作がされても音声収集許可モードにならない。制御部２０は、第２音声収集操作部８０ｂで禁止操作がされた状態において、禁止操作時と同じ第２音声収集操作部８０ｂまたは浴室音声収集操作部８１である第１音声収集操作部８０ａで許可操作がされると音声収集許可モードになるが、禁止操作時と異なりかつ浴室音声収集操作部８１ではない第３音声収集操作部８０ｃで許可操作がされても音声収集許可モードにならない。制御部２０は、第３音声収集操作部８０ｃで禁止操作がされた状態において、禁止操作時と同じ第３音声収集操作部８０ｃまたは浴室音声収集操作部８１である第１音声収集操作部８０ａで許可操作がされると音声収集許可モードになるが、禁止操作時と異なりかつ浴室音声収集操作部８１ではない第２音声収集操作部８０ｂで許可操作がされても音声収集許可モードにならない。
【００８２】
このように、音声収集許可モードから音声収集禁止モードへの切り替え時と同じ音声収集操作部８０、または、浴室音声収集操作部８１において音声収集禁止モードから音声収集許可モードへ切り替える操作がされた場合にのみ、音声収集許可モードになることで、音声収集許可モードから音声収集禁止モードへの切り替え時と異なる場所や浴室５０以外の場所にいる第三者によって音声収集禁止モードから音声収集許可モードへの切り替えが行われることを抑制できる。これにより、使用者の意思をより尊重することができ、使用者の意図に反して音声入力の禁止が解除されることをより確実に抑制できる。
【００８３】
制御部２０は、ステップＳ３０９において、許可操作がされた音声収集操作部８０が浴室音声収集操作部８１ではないと判定した場合（ステップＳ３０９：Ｎｏ）、音声収集操作部８０に対する特定の操作がされたか否かの判定（ステップＳ３１０）に進む。
【００８４】
図７は、実施形態に係る浴室システムの動作の別の一例を表すフローチャートである。  図７に表したフローチャートのステップＳ４０１〜ステップＳ４０６、ステップＳ４０８、ステップＳ４１０、及びステップＳ４１１は、それぞれ、図４に表したフローチャートのステップＳ１０１〜ステップＳ１０６、ステップＳ１０８、ステップＳ１０９、及びステップＳ１１０と同じである。
【００８５】
制御部２０は、許可操作を検知すると（ステップＳ４０６：Ｙｅｓ）、浴室５０が使用中であるか否かの判定を行う（ステップＳ４０７）。制御部２０は、ステップＳ４０７において、浴室５０が使用中でない場合（ステップＳ４０７：Ｎｏ）、音声収集許可モードになる（ステップＳ４０８）。
【００８６】
制御部２０は、ステップＳ４０７において、浴室５０が使用中である場合（ステップＳ４０７：Ｙｅｓ）、許可操作がされた音声収集操作部８０が浴室音声収集操作部８１であるか否かを判定する（ステップＳ４０９）。
【００８７】
制御部２０は、例えば、浴室５０に設けられる機器３０の動作状況に基づいて、浴室５０が使用中であるか否かを判定することができる。制御部２０は、例えば、機器３０が動作中であれば浴室５０が使用中であると判定し、機器３０が動作中でなければ浴室５０が使用中でないと判定することができる。
【００８８】
また、制御部２０は、例えば、浴室５０に設けられる人体検知センサ４０の検知結果に基づいて、浴室５０が使用中であるか否かを判定してもよい。制御部２０は、例えば、人体検知センサ４０が人体を検知していれば浴室５０が使用中であると判定し、人体検知センサ４０が人体を検知していなければ浴室５０が使用中でないと判定することができる。
【００８９】
制御部２０は、ステップＳ４０９において、許可操作がされた音声収集操作部８０が浴室音声収集操作部８１であると判定すると（ステップＳ４０９：Ｙｅｓ）、音声収集許可モードになる（ステップＳ４０８）。
【００９０】
より具体的には、制御部２０は、第１〜第３音声収集操作部８０ａ〜８０ｃのいずれかで禁止操作がされた後、許可操作がされたときに浴室５０が使用中でなければ、第１〜第３音声収集操作部８０ａ〜８０ｃのいずれで許可操作がされても、音声収集許可モードになる。一方、制御部２０は、第１〜第３音声収集操作部８０ａ〜８０ｃのいずれかで禁止操作がされた後、許可操作がされたときに浴室５０が使用中であれば、浴室音声収集操作部８１である第１音声収集操作部８０ａで許可操作がされると音声収集許可モードになるが、浴室音声収集操作部８１ではない第２音声収集操作部８０ｂまたは第３音声収集操作部８０ｃで許可操作がされても音声収集許可モードにならない。換言すれば、制御部２０は、浴室５０が使用中の場合、浴室音声収集操作部８１である第１音声収集操作部８０ａで許可操作がされない限り、音声収集許可モードにならない。
【００９１】
このように、浴室５０が使用中であることを検知すると、浴室音声収集操作部８１において音声収集禁止モードから音声収集許可モードへ切り替える操作がされた場合にのみ、音声収集許可モードになることで、浴室５０の使用中に浴室５０以外の場所にいる第三者によって音声収集禁止モードから音声収集許可モードへの切り替えが行われることを抑制できる。これにより、浴室５０の使用中に使用者の意図に反して音声入力の禁止が解除されることをより確実に抑制できる。
【００９２】
制御部２０は、ステップＳ４０９において、許可操作がされた音声収集操作部８０が浴室音声収集操作部８１ではないと判定した場合（ステップＳ４０９：Ｎｏ）、音声収集操作部８０に対する特定の操作がされたか否かの判定（ステップＳ４１０）に進む。
【００９３】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、浴室システムなどが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００９４】
１０、１０ａ、１０ｂ 音声収集部、  ２０ 制御部、  ３０ 機器、  ３１ 吐水装置、  ３２ 空調機器、  ３３ 照明機器、  ３４ ＡＶ機器（スピーカー）、  ３５ マッサージ機器、  ３６ 洗浄機器、  ４０ 人体検知センサ、  ５０ 浴室、  ５１ 天井、  ５２ 床、  ５３ 側壁、  ５３ａ〜５３ｄ 第１〜第４側壁、  ５５ ドア、  ６０ 浴槽、  ６１ 長辺、  ６２ 短辺、  ７０ 鏡、  ７２ カウンター、  ７５ 浴室内リモコン、  ８０ 音声収集操作部、  ８０ａ〜８０ｃ 第１〜第３音声収集操作部、  ８１ 浴室音声収集操作部、  ９０ 洗面所、  ９５ 洗面所リモコン、  １００ 浴室システム、  ２１０ キッチン、  ２２０ リビング
【図１】
2020116167.tif 000003
【図２】
2020116167.tif 000004
【図３】
2020116167.tif 000005
【図４】
2020116167.tif 000006
【図５】
2020116167.tif 000007
【図６】
2020116167.tif 000008
【図７】
2020116167.tif 000009